(57)【特許請求の範囲】
【請求項１】
極性物質の混合物に基づき、式Ｉの少なくとも１種類の化合物と、これに追加して、式ＩＩＡおよび／またはＩＩＢの１種類以上の化合物とを含み、負の誘電異方性を有することを特徴とする液晶媒体。
【化１】
0005562557.tif 000052
（式中、
Ｒ１１およびＲ１２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化２】
0005562557.tif 000053
−Ｃ≡Ｃ−、−ＯＣ−Ｏ−または−Ｏ−ＣＯ−で置き換えられていてもよく、
但し、基Ｒ１１およびＲ１２の少なくとも一方は２〜６個の炭素原子を有するアルケニルを表し、および
Ｚ１は、−ＣＨ＝ＣＨ−または単結合を表す。）
【化３】
0005562557.tif 000054
（式中、
【化４】
0005562557.tif 000055
を表し、
Ｒ２は、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化５】
0005562557.tif 000056
−Ｃ≡Ｃ−、−ＯＣ−Ｏ−または−Ｏ−ＣＯ−で置き換えられていてもよく、
Ｚ２は、単結合、−ＣＨ＝ＣＨ−または−ＣＨ２ＣＨ２−を表し、
ｐは、１または２を表し、および
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表し、
ｖは、１〜６を表す。）
【請求項２】
１種類以上の式Ｂ−１および／またはＢ−２の化合物を追加的に含むことを特徴とする請求項１に記載の液晶媒体。
【化６】
0005562557.tif 000057
（式中、
Ｒ２９〜３０は、請求項１においてＲ１１で示される意味を有し、
ｍは、１〜６を表す。）
【請求項３】
式ＩＩＩの１種類以上の化合物を追加的に含むことを特徴とする請求項１または２に記載の液晶媒体。
【化７】
0005562557.tif 000058
（式中、
Ｒ３１およびＲ３２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化８】
0005562557.tif 000059
−Ｃ≡Ｃ−、−ＯＣ−Ｏ−または−Ｏ−ＣＯ−で置き換えられていてもよく、
【化９】
0005562557.tif 000060
ｒは、０、１または２を表し、
Ｚ３１およびＺ３２は、それぞれ互いに独立に、単結合、−ＣＨ２ＣＨ２−、−Ｃ≡Ｃ−、−ＣＨ＝ＣＨ−、−ＣＦ２Ｏ−、−ＯＣＦ２−、−ＣＦ＝ＣＦ−、−ＣＦ＝ＣＨ−、−ＣＨ＝ＣＦ−、−ＣＨ２ＣＦ２−、−ＣＦ２ＣＨ２−、−ＣＯＯ−、−ＯＣＯ−、−ＣＨ２Ｏ−、−ＯＣＨ２−、−（ＣＨ２）４−を表す。）
【請求項４】
式Ｉの化合物を、１種類、２種類、３種類または４種類以上含むことを特徴とする請求項１〜３のいずれか１項に記載の液晶媒体。
【請求項５】
混合物全体における式Ｉの化合物の割合は少なくとも２重量％であることを特徴とする請求項１〜４のいずれか１項に記載の液晶媒体。
【請求項６】
混合物全体における式ＩＩＡおよび／またはＩＩＢの化合物の割合は少なくとも２０重量％であることを特徴とする請求項１〜５のいずれか１項に記載の液晶媒体。
【請求項７】
混合物全体における式ＩＩＩの化合物の割合は少なくとも３重量％であることを特徴とする請求項３に記載の液晶媒体。
【請求項８】
式Ｉ１ａ〜Ｉ１ｇおよびＩ２ａ〜Ｉ２ｈの化合物群より選択される化合物を少なくとも１種類含むことを特徴とする請求項１〜７のいずれか１項に記載の液晶媒体。
【化１０】
0005562557.tif 000061
【化１１】
0005562557.tif 000062
【化１２】
0005562557.tif 000063
【請求項９】
式ＩＩＡ−１〜ＩＩＡ−１８の１種類以上の化合物を含むことを特徴とする請求項１〜８のいずれか１項に記載の液晶媒体。
【化１３】
0005562557.tif 000064
【化１４】
0005562557.tif 000065
【化１５】
0005562557.tif 000066
（式中、Ｒ２およびｖは、請求項１で示される意味を有する。）
【請求項１０】
式ＩＩＢ−１〜ＩＩＢ−７の１種類以上の化合物を含むことを特徴とする請求項１〜９のいずれか１項に記載の液晶媒体。
【化１６】
0005562557.tif 000067
（式中、Ｒ２およびｖは、請求項１で示される意味を有する。）
【請求項１１】
式ＩＩＡおよび／またはＩＩＢの化合物中のＬ１およびＬ２は、それぞれフッ素を表す
ことを特徴とする請求項１〜１０のいずれか１項に記載の液晶媒体。
【請求項１２】
式ＩＩＩａ〜ＩＩＩｑより選択される１種類以上の化合物を追加的に含むことを特徴とする請求項１〜１１のいずれか１項に記載の液晶媒体。
【化１７】
0005562557.tif 000068
【化１８】
0005562557.tif 000069
（式中、
ａｌｋｙｌおよびａｌｋｙｌ＊は、それぞれ互いに独立に、１〜６個の炭素原子を有する直鎖状のアルキル基を表し、および
ａｌｋｏｘｙは、１〜６個の炭素原子を有する直鎖状のアルコキシ基を表し、
ａｌｋｅｎｙｌおよびａｌｋｅｎｙｌ＊は、それぞれ互いに独立に、２〜６個の炭素原子を有する直鎖状のアルケニル基を表す。）
【請求項１３】
１種類以上の下式の化合物を追加的に含むことを特徴とする請求項１〜１２のいずれか１項に記載の液晶媒体。
【化１９】
0005562557.tif 000070
（式中、
Ｒ３１〜３２は、請求項１においてＲ１１で示される意味を有し、
Ｒ３３は、ＣＨ３、Ｃ２Ｈ５またはｎ−Ｃ３Ｈ７を表し、および
ｑは１または２を表す。）
【請求項１４】
１種類以上の式Ｏ１および／またはＯ２の化合物を追加的に含むことを特徴とする請求項１〜１３のいずれか１項に記載の液晶媒体。
【化２０】
0005562557.tif 000071
（式中、Ｒ４１、Ｒ４２、Ｒ５１およびＲ５２は、請求項１においてＲ１１で示される意味を有する。）
【請求項１５】
２〜２０重量％の１種類以上の式Ｉの化合物と、
２０〜８０重量％の１種類以上の式ＩＩＡおよび／またはＩＩＢの化合物と
を含む、またはより成ることを特徴とする請求項１〜１４のいずれか１項に記載の液晶媒体。
【請求項１６】
１種類以上の式Ｉの化合物を１種類以上の更なるメソゲン性化合物と混合することを特徴とする請求項１〜１５のいずれか１項に記載の液晶媒体の調製方法。
【請求項１７】
電気光学的ディスプレイ中における請求項１〜１５のいずれか１項に記載の液晶媒体の使用。
【請求項１８】
ＥＣＢ、ＦＦＳまたはＩＰＳ効果に基づき、アクティブマトリクス駆動を有し、誘電体として請求項１〜１５のいずれか１項に記載の液晶媒体を備えることを特徴とする電気光学的ディスプレイ。
【発明の詳細な説明】
【技術分野】
【０００１】
本発明は、極性物質の混合物に基づき、式Ｉの少なくとも１種類の化合物を含み液晶媒体に関する。
【０００２】
【化１】
0005562557.tif 000002
式中、
Ｒ１１およびＲ１２は、それぞれ互いに独立に、１５個までの炭素原子を有するアルキルまたはアルケニル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【０００３】
【化２】
0005562557.tif 000003
−Ｃ≡Ｃ−、−ＯＣ−Ｏ−または−Ｏ−ＣＯ−で置き換えられていてもよく、基Ｒ１１およびＲ１２の少なくとも一方は２〜６個の炭素原子を有するアルケニルを表すことを前提としており、および
Ｚ１は、−ＣＨ＝ＣＨ−または単結合を表す。
【０００４】
この型の媒体は、特に、ＥＣＢ効果に基づいてアドレスするアクティブマトリクスを備える電気光学的ディスプレイ用に、およびＩＰＳ（ｉｎ−ｐｌａｎｅ  ｓｗｉｔｃｈｉｎｇ）ディスプレイ用に使用できる。本発明の媒体は、好ましくは、負の誘電異方性を有する。
【背景技術】
【０００５】
ＥＣＢ効果を利用するディスプレイは、所謂ＶＡＮ（ｖｅｒｔｉｃａｌｌｙ  ａｌｉｇｎｅｄ  ｎｅｍａｔｉｃ）ディスプレイとして、ＭＶＡ（ｍｕｌｔｉ−ｄｏｍａｉｎ  ｖｅｒｔｉｃａｌ  ａｌｉｇｎｍｅｎｔ、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献１）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献２））およびＰＶＡ（ｐａｔｔｅｒｎｅｄ  ｖｅｒｔｉｃａｌ  ａｌｉｇｎｍｅｎｔ、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献３））モード中において、液晶ディスプレイの３種類のより最近の型の１つとして確立されており、それらはＡＳＶ（ａｄｖａｎｃｅｄ  ｓｕｐｅｒ  ｖｉｅｗ、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献４））ディスプレイおよびＩＰＳ（ｉｎ−ｐｌａｎｅ  ｓｗｉｔｃｈｉｎｇ）ディスプレイ（例えば：Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献５））および長く知られているＴＮ（ｔｗｉｓｔｅｄ  ｎｅｍａｔｉｃ）ディスプレイに加えて、特にテレビ用途向けとして現在のところ最も重要である。それらの技術は、例えば２００４年６月のＳｏｕｋにおけるＳＩＤセミナーにおいて一般的な形で比較されており、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献６）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献７）である。例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩ��  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献８）のように、オーバードライブによる方法を検討することにより、近年のＥＣＢディスプレイの応答時間は既に著しく改良されてきたが、ビデオに対応できる応答時間を達成することは、特にグレーシェイドのスイッチングにおいて、依然として満足いくほどには未だ解決されていない問題である。
【０００６】
ＴＮディスプレイおよび全ての従来のＩＰＳディスプレイが正の誘電異方性の液晶媒体をこれまで使用しているのに対し、ＡＳＶディスプレイのように、ＥＣＢディスプレイは負の誘電異方性（Δε）の液晶媒体を使用する。
【０００７】
この型の液晶ディスプレイにおいては液晶が誘電体として使用され、その光学的特性は電圧の印加で可逆的に変化する。
【０００８】
この効果を電気光学的ディスプレイ素子中で工業的に応用するには、多数の要求を満足するＬＣ相が必要となる。ここで特に重要なものは、水分、空気、および熱、赤外線、可視光および紫外線の放射および直流および交流電界などの物理的影響に対する化学的安定性である。
【０００９】
さらに、工業的に使用できるＬＣ相には、適切な温度範囲での液晶中間相および低粘度が必要である。
【００１０】
特に、ディスプレイ中において液晶媒体の応答時間を改良しなければならず、即ち、短縮しなければならない。このことは、テレビまたはマルチメディア用途向けのディスプレイにとって、特に重要である。応答時間を改良するために、液晶媒体の回転粘度（γ１）を最適化すること、即ち、可能な限り低い回転粘度を有する媒体を達成することが過去において繰返し提案されてきた。しかしながら、ここで達成された結果は多くの用途にとって不適切であり、従って、更なる最適化の試みを見出すことが望ましいこととなっている。
【００１１】
現在までに開示された液晶中間相を有する一連の化合物には、これら全ての要求を満足する単一の化合物を含むものはなかった。従って、ＬＣ相として使用できる材料を得るためには、一般に、２〜２５種類、好ましくは３〜１８種類の化合物の混合物が調製される。しかしながら、著しく負の誘電異方性および適切な長期安定性を有する液晶材料がこれまで入手できなかったため、化合物を混合しても最適な相を容易に調製することは可能ではなかった。
【００１２】
一般にディスプレイ中、即ち、これらの既述の効果によるディスプレイ中においても、動作電圧を可能な限り低くしなければならないため、全て同一の符号の誘電異方性を有し、可能な限り高い値の誘電異方性を有する液晶化合物を一般的に主に含む液晶媒体を使用する。一般に、最大でも比較的少量の中性化合物を使用し、可能であれば、媒体に対して反対の符号の誘電異方性を有する化合物は使用しない。ＥＣＢディスプレイ用の負の誘電異方性の液晶媒体の場合、よって、負の誘電異方性の化合物が主に使用される。一般に使用される液晶媒体は、負の誘電異方性の液晶化合物より、主におよび通常は非常に実質的に成る。
【００１３】
マトリックス液晶ディスプレイ（ＭＬＣディスプレイ）は既知である。個々のピクセルをそれぞれスイッチングするために使用できる非線形素子は、例えば、アクティブ素子（即ち、トランジスター）である。よって、用語「アクティブマトリックス」は、２つの型を区別できるように使用される。
【００１４】
１．基体としてのシリコンウエハー上のＭＯＳ（金属酸化物半導体）トランジスター。
【００１５】
２．基体としてのガラス板上の薄膜トランジスター（ＴＦＴ）。
【００１６】
型１の場合、使用される電気光学的効果は、通常、動的散乱またはゲスト−ホスト効果である。基板材料として単結晶シリコンを使用すると、色々な部品ディスプレイのモジュール組立品ですら接続部で問題が生じるため、ディスプレイの大きさが制限される。
【００１７】
好適であってより有望な型２の場合には、使用される電気光学的効果は、通常、ＴＮ効果である。
【００１８】
２つの技術が区別される：例えばＣｄＳｅのように化合物半導体を含むＴＦＴ、または多結晶またはアモルファスシリコンに基づくＴＦＴである。後者の技術について、世界的に集中した研究がなされている。
【００１９】
ＴＦＴマトリックスは、ディスプレイの１つのガラス板の内面に塗工され、もう一方のガラス板は、その内面に透明な対向電極を保持する。ピクセル電極の大きさと比較して、ＴＦＴは非常に小さく、事実上、画像に対する悪影響はない。この技術は、フルカラー対応のディスプレイにまで拡張でき、フィルター素子がスイッチング可能なピクセルの各々に対向するように、赤、緑および青フィルターのモザイクが配置される。
【００２０】
これまでに開示されたＴＦＴディスプレイは、通常、透過光に対して直交した偏光板を備えるＴＮセルとして作動させ、バックライトで照らされる。
【００２１】
ここで用語「ＭＬＣディスプレイ」は、集積非線形素子を備える任意のマトリックスディスプレイ、即ち、アクティブマトリックスに加えて、バリスターまたはダイオード（ＭＩＭ、即ち、ｍｅｔａｌ−ｉｎｓｕｌａｔｏｒ−ｍｅｔａｌ）のような受動型素子を備えたディスプレイも網羅する。
【００２２】
この型のＭＬＣディスプレイは、特にテレビ用途（例えばポケットテレビ）、または自動車または航空機内での高度情報ディスプレイ用に適している。コントラストの角度依存性および応答時間の問題に加えて、ＭＬＣディスプレイにおいては、液晶混合物の比抵抗が十分に高くないことに起因する問題がある［ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．、ＳＨＩＭＩＺＵ，Ｈ．、Ｐｒｏｃ．Ｅｕｒｏｄｉｓｐｌａｙ、第８４巻、１９８４年９月：第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁（パリ）（非特許文献９）；ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁（パリ）（非特許文献１０）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命に全体に渡って低下するので、許容される抵抗値を長期の動作期間で有するディスプレイのためには、高い（初期）抵抗が非常に重要である。
【００２３】
これまでに開示されたＭＬＣ−ＴＮディスプレイの不具合は、それらの比較的低いコントラスト、比較的高い視野角依存性およびこれらのディスプレイ中でグレーシェイドを生じさせることが困難なことである。
【００２４】
したがって、非常に高い比抵抗を有すると同時に、広い動作温度範囲、短い応答時間および低い閾電圧を有しており、これらのおかげで各種のグレーシェイドを生じさせることができるＭＬＣディスプレイが引き続き強く要求されている。
【非特許文献１】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ・・・」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献２】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ・・・」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献３】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献４】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献５】Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献６】セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献７】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献８】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【非特許文献９】ＴＯＧＡＳＨＩ，Ｓ．、ＳＥＫＩＧＵＣＨＩ，Ｋ．、ＴＡＮＡＢＥ，Ｈ．、ＹＡＭＡＭＯＴＯ，Ｅ．、ＳＯＲＩＭＡＣＨＩ，Ｋ．、ＴＡＪＩＭＡ，Ｅ．、ＷＡＴＡＮＡＢＥ，Ｈ．、ＳＨＩＭＩＺＵ，Ｈ．、Ｐｒｏｃ．Ｅｕｒｏｄｉｓｐｌａｙ、第８４巻、１９８４年９月：第Ａ２１０〜２８８号、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁（パリ）
【非特許文献１０】ＳＴＲＯＭＥＲ，Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁（パリ）
【発明の開示】
【発明が解決しようとする課題】
【００２５】
本発明は、モニターおよびテレビ用途向けのみならず携帯電話およびナビゲーションシステム向で、ＥＣＢまたはＩＰＳ効果に基づいており、上に示される不具合を有していないか、低減された程度にのみ有しており、同時に非常に高い比抵抗値を有しているＭＬＣディスプレイを提供する目的に基づいている。特に、携帯電話およびナビゲーションシステム用に、それらが非常に高温および非常に低温においても機能することを確かなものとしなければならない。
【課題を解決するための手段】
【００２６】
驚くべきことに、これらのディスプレイ素子中で、式Ｉの少なくとも１種類の化合物を含むネマチック液晶混合物を使用すれば、この目的を達成できることを今回見出した。これらの液晶混合物は複屈折率（Δｎ）の低い値によって区別され、従って、とりわけ、テレビセット、例えばノート型または卓上型のようなコンピューター、スイッチボード、それのみならず、賭博機、例えば時計、計算機、ポケット電子ゲーム、チェス用コンピューター、ＰＤＡ（ｐｅｒｓｏｎａｌ  ｄｉｇｉｔａｌ  ａｓｓｉｓｔａｎｔ）のような携帯用データ記憶装置のような電気光学的ディスプレイ、または携帯電話およびナビゲーション機器のスクリーン用に極めて適する。
【００２７】
よって、本発明は、式Ｉの少なくとも１種類の化合物を含み、極性化合物の混合物に基づく液晶媒体に関する。
【００２８】
本発明による混合物は、７０℃以上の透明点と共に非常に広い範囲でネマチック相を示し、非常に好ましい値の容量閾値、比較的高い値の保持率および同時に−３０℃および−４０℃において非常に良好な低温安定性を示す。低いΔｎの値のために、本発明による混合物は、低い回転粘度γ１により更に区別される。
【発明を実施するための最良の形態】
【００２９】
本発明による混合物の好ましい実施形態の幾つかを下に示す。
【００３０】
ａ）式Ｉの化合物中のＲ１１は、好ましくは６個までの炭素原子を有するアルキルまたはアルケニルを表し、特に直鎖状のアルキル、ビニル、１Ｅ−アルケニルまたは３−アルケニルである。
【００３１】
ｂ）Ｒ１１および／またはＲ１２がアルケニルを表す場合、そのアルケニル基は同一でも異なっていてもよい。Ｒ１１および／またはＲ１２がアルケニル基を表す場合、それは好ましくは、ＣＨ２＝ＣＨ、ＣＨ３−ＣＨ＝ＣＨ、Ｃ３Ｈ７−ＣＨ＝ＣＨ、ＣＨ２＝ＣＨ−Ｃ２Ｈ５またはＣＨ３−ＣＨ＝ＣＨ−Ｃ２Ｈ５である。
【００３２】
ｃ）式Ｉの化合物を１種類、２種類、３種類または４種類以上、好ましくは１種類、２種類または３種類含む液晶媒体。
【００３３】
ｄ）混合物全体における式Ｉの化合物の割合は少なくとも２重量％、好ましくは少なくとも４重量％、特に好ましくは２〜２０重量％である液晶媒体。
【００３４】
ｅ）互いに独立に式ＩＩＡおよび／またはＩＩＢの１種類以上の化合物を追加的に含む液晶媒体。
【００３５】
【化３】
0005562557.tif 000004
式中、
【００３６】
【化４】
0005562557.tif 000005
を表し、
Ｒ２は、Ｒ１１の意味を有し、
Ｚ２は、単結合、−ＣＨ＝ＣＨ−または−ＣＨ２ＣＨ２−を表し、
ｐは、１または２を表し、および
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表し、好ましくはＬ１＝Ｌ２＝Ｆであり、
ｖは、１〜６を表す。
【００３７】
特に好ましい式ＩＩＡの化合物は、式ＩＩＡ−１〜ＩＩＡ−１８の化合物である。
【００３８】
【化５．１】
0005562557.tif 000006
【００３９】
【化５．２】
0005562557.tif 000007
【００４０】
【化５．３】
0005562557.tif 000008
式中、Ｒ２およびｖは、上で示される意味を有する。
【００４１】
特に好ましくは、式ＩＩＡ−１およびＩＩＡ−２、更にはＩＩＡ−３およびＩＩＡ−４の化合物である。式ＩＩＡの化合物の中で、Ｒ２は好ましくは直鎖状のアルキルまたはアルケニルを表し、好ましくは、ＣＨ２＝ＣＨ、ＣＨ３ＣＨ＝ＣＨ、ＣＨ２＝ＣＨＣＨ２ＣＨ２、ＣＨ３ＣＨ＝ＣＨＣ２Ｈ４、Ｃ３Ｈ７ＣＨ＝ＣＨ、ＣＨ３、Ｃ２Ｈ５、ｎ−Ｃ３Ｈ７、ｎ−Ｃ４Ｈ９、ｎ−Ｃ５Ｈ１１である。
【００４２】
特に好ましい式ＩＩＢの化合物は、式ＩＩＢ−１〜ＩＩＢ−７の化合物である。
【００４３】
【化６】
0005562557.tif 000009
式中、Ｒ２およびｖは、上で示される意味を有する。
【００４４】
特に好ましくは、式ＩＩＢ−１の化合物である。式ＩＩＢ−１の化合物の中でも、Ｒ２は好ましくは直鎖状のアルキルを表す。式ＩＩＢの化合物の中でも、Ｒ２は好ましくは直鎖状のアルキルまたはアルケニルを表し、好ましくは、ＣＨ２＝ＣＨ、ＣＨ３ＣＨ＝ＣＨ、ＣＨ２＝ＣＨＣＨ２ＣＨ２、ＣＨ３ＣＨ＝ＣＨＣ２Ｈ４、Ｃ３Ｈ７ＣＨ＝ＣＨ、ＣＨ３、Ｃ２Ｈ５、ｎ−Ｃ３Ｈ７、ｎ−Ｃ４Ｈ９、ｎ−Ｃ５Ｈ１１である。
【００４５】
式ＩＩＡおよびＩＩＢの化合物の中でも、Ｚ２は好ましくは単結合を表す。
【００４６】
ｆ）式Ｉの化合物と同一ではない１種類以上の式ＩＩＩの化合物を付加的に含む液晶媒体。
【００４７】
【化７】
0005562557.tif 000010
式中、
Ｒ３１およびＲ３２は、それぞれ互いに独立に、１〜１２個の炭素原子を有する直鎖状のアルキル基を表し、その中で、１個以上のＣＨ２基は、それぞれ互いに独立に１５個までの炭素原子を有するアルキルまたはアルケニル基で置き換えられていてもよく、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【００４８】
【化８】
0005562557.tif 000011
−Ｃ≡Ｃ−、−ＯＣ−Ｏ−または−Ｏ−ＣＯ−で置き換えられていてもよく、
【００４９】
【化９】
0005562557.tif 000012
ｒは、０、１または２を表し、
Ｚ３１およびＺ３２は、それぞれ互いに独立に、単結合、−ＣＨ２ＣＨ２−、−Ｃ≡Ｃ−、−ＣＨ＝ＣＨ−、−ＣＦ２Ｏ−、−ＯＣＦ２−、−ＣＦ＝ＣＦ−、−ＣＦ＝ＣＨ−、−ＣＨ＝ＣＦ−、−ＣＨ２ＣＦ２−、−ＣＦ２ＣＨ２−、−ＣＯＯ−、−ＯＣＯ−、−ＣＨ２Ｏ−、−ＯＣＨ２−、−（ＣＨ２）４−を表す。
【００５０】
ｇ）混合物全体における式ＩＩＡおよび／またはＩＩＢの化合物の割合が少なくとも２０重量％である液晶媒体。
【００５１】
ｈ）混合物全体における式ＩＩＩの化合物の割合が少なくとも５重量％である液晶媒体。
【００５２】
ｉ）補助式Ｉ１および／またはＩ２より選択される少なくとも１種類の化合物を含む液晶媒体。
【００５３】
【化１０】
0005562557.tif 000013
特に好ましい媒体は、式の化合物群より選択される１種類以上の化合物を含む。
【００５４】
【化１１．１】
0005562557.tif 000014
【００５５】
【化１１．２】
0005562557.tif 000015
式Ｉ１ａ、Ｉ２ａ、Ｉ２ｃの化合物が特に好ましい。
【００５６】
ｊ）式ＩＩＩａ〜ＩＩＩｑより選択される１種類以上の化合物を追加的に含む液晶媒体。
【００５７】
【化１２．１】
0005562557.tif 000016
【００５８】
【化１２．２】
0005562557.tif 000017
式中、
ａｌｋｙｌおよびａｌｋｙｌ＊は、それぞれ互いに独立に、１〜６個の炭素原子を有する直鎖状のアルキル基を表し、および
ａｌｋｏｘｙは、１〜６個の炭素原子を有する直鎖状のアルコキシ基を表し、
ａｌｋｅｎｙｌおよびａｌｋｅｎｙｌ＊は、それぞれ互いに独立に、２〜６個の炭素原子を有する直鎖状のアルケニル基を表す。
【００５９】
本発明による媒体は、特に好ましくは、式ＩＩＩｅの化合物を２０重量％を超える量で含み、特には２５重量％を超える量、非常に特に好ましくは３０重量％以上で、特には、式：
【００６０】
【化１３】
0005562557.tif 000018
の化合物より選択される化合物である。式中、ｎ＝３、４、５およびＲｅはＨまたはＣＨ３を表す。
【００６１】
本発明による媒体は、好ましくは、式ＩＩＩａ、式ＩＩＩｂおよび／または式ＩＩＩｅの化合物を少なくとも１種類含む。
【００６２】
式ＩＩＩｅおよびＩＩＩｆの特に好ましい化合物が下に示される。
【００６３】
【化１４】
0005562557.tif 000019
ｋ）２〜２０重量％の１種類以上の式Ｉの化合物と、
２０〜８０重量％の１種類以上の式ＩＩＡおよび／またはＩＩＢの化合物と
を含む、またはより成る液晶媒体。
【００６４】
ｌ）１種類以上の下式の４環化合物を追加的に含む液晶媒体。
【００６５】
【化１５】
0005562557.tif 000020
式中、
Ｒ７およびＲ８は、それぞれ互いに独立に、請求項１中のＲ１１で示される意味の１つを有し、および
ｗおよびｘは、それぞれ互いに独立に、１〜６を表す。
【００６６】
ｍ）１種類以上の下式の化合物を追加的に含む液晶媒体。
【００６７】
【化１６．１】
0005562557.tif 000021
【００６８】
【化１６．２】
0005562557.tif 000022
【００６９】
【化１６．３】
0005562557.tif 000023
式中、Ｒ１３〜Ｒ２８は、それぞれ互いに独立に、Ｒ１１で示される意味を有し、ｚおよびｍは、それぞれ互いに独立に、１〜６を表す。
【００７０】
ｎ）１種類以上の式Ｂ−１および／またはＢ−２の化合物：
【００７１】
【化１７】
0005562557.tif 000024
を追加的に、好ましくは３質量％より多い量で、特に５質量％以上で、非常に特に好ましくは５〜２５質量％で含む液晶媒体。
ただし、Ｒ２９〜３０はＲ１１で示される意味を有し、ｍは１〜６を表す。
【００７２】
ｏ）１種類以上の式Ｔ−１および／またはＴ−２の化合物を追加的に含む液晶媒体。
【００７３】
【化１８】
0005562557.tif 000025
式中、Ｒは、１または２〜６個の炭素原子をそれぞれ有するアルキル、アルケニル、アルコキシ、アルキルアルコキシ、アルケニルオキシを表す。
【００７４】
ｐ）１種類以上の下式の化合物：
【００７５】
【化１９】
0005562557.tif 000026
を追加的に、好ましくは、３重量％より多い量であり、特には５重量％以上であり、非常に特に好ましくは５〜３０重量％で含む液晶媒体。
ただし、
Ｒ３１〜３２はＲ１１で示される意味を有し、Ｒ３３はＣＨ３、Ｃ２Ｈ５またはｎ−Ｃ３Ｈ７を表し、およびｑは１または２を表す。
【００７６】
ｑ）１種類以上の下式の化合物を追加的に含む液晶媒体。
【００７７】
【化２０．１】
0005562557.tif 000027
【００７８】
【化２０．２】
0005562557.tif 000028
式中、ＲＮ１〜ＲＮ８は、互いに独立に、Ｒ１１で示される意味を有し、混合物中におけるナフチレン化合物の割合は、混合物に基づいて２〜４０重量％である。
【００７９】
ｒ）１種類以上の式Ｏ１および／またはＯ２の化合物を追加的に含む液晶媒体。
【００８０】
【化２１】
0005562557.tif 000029
式中、Ｒ４１、Ｒ４２、Ｒ５１およびＲ５２は、Ｒ１１で示される意味を有する。化合物Ｏ１および／またはＯ２の割合は、混合物に基づいて、好ましくは５〜４０重量％である。
【００８１】
本発明は、更に、ＥＣＢ効果に基づいてアドレスするアクティブマトリックスを備える電気光学的ディスプレイに関し、請求項１〜９の一項に記載の液晶媒体を誘電体として備えることを特徴とする。
【００８２】
液晶混合物は、好ましくは、少なくとも６０Ｋのネマチック相範囲と、２０℃において最大で３０ｍｍ２・ｓ−１の流動粘度ν２０を有する。
【００８３】
本発明による液晶混合物は、約−０．５〜−７．０、特には−２．０〜−４．０のΔεを有し、ただしΔεは誘電異方性を表す。回転粘度γ１は、好ましくは１８０ｍＰａ・ｓより小さく、特には１５０ｍＰａ・ｓより小さい。
【００８４】
液晶混合物中の複屈折率Δｎは一般に０．１１以下であり、好ましくは０．０６および０．１０の間であり、特には０．０７および０．１０の間である。
【００８５】
本発明による混合物は、例えば、ＶＡＮ、ＭＶＡ、（Ｓ）−ＰＶＡ、ＡＳＶのような全てのＶＡ−ＴＦＴ用途に適する。それらは、更に、Δεが負であるＩＰＳ（ｉｎ−ｐｌａｎｅ  ｓｗｉｔｃｈｉｎｇ）、ＦＦＳ（ｆｒｉｎｇｅ  ｆｉｅｌｄ  ｓｗｉｔｃｈｉｎｇ）用途に適する。
【００８６】
本発明によるディスプレイ中のネマチック液晶混合物は一般に２種類の成分ＡおよびＢを含んでおり、それらの成分自身は１種類以上の個々の化合物より成る。
【００８７】
成分Ａは明らかな負の誘電異方性を有しており、−０．５以下の誘電異方性のネマチック相を与える。それは、好ましくは、式Ｉ、ＩＩＡおよび／またはＩＩＢの化合物を含む。
【００８８】
成分Ａの割合は好ましくは４５および１００％の間であり、特には６０および１００％の間である。
【００８９】
成分Ａのためには、−０．８以下の値のΔεを有する１種類の（またはそれより多い）個別の化合物を好ましくは選択する。混合物全体におけるＡの割合が低いほど、この値をより負としなければならない。
【００９０】
成分Ｂは明瞭なネマトゲン性を有しており、２０℃において３０ｍｍ２・ｓ−１以下の流動粘度を有しており、好ましくは２５ｍｍ２・ｓ−１以下である。
【００９１】
成分Ｂの特に好ましい個々の化合物は非常に低い粘度のネマチック液晶で、２０℃において１８以下の流動粘度を有しており、好ましくは１２ｍｍ２・ｓ−１以下である。
【００９２】
成分Ｂは、モノトロピックまたはエナンチオトロピックネマチックであり、スメクチック相を有さず、そして、液晶混合物中において非常に低温までスメクチック相の発生を防ぐことができる。例えば、高いネマトゲン性の各種材料を、それぞれの場合でスメクチック液晶混合物に添加した場合、これらの材料のネマトゲン性を、達成されるスメクチック相抑制の程度により比較することができる。
【００９３】
多数の好適な材料が、文献により当業者に知られている。式ＩＩＩの化合物が特に好ましい。
【００９４】
加えて、これらの液晶相も１８種類より多い成分を含む場合があり、好ましくは１８〜２５種類の成分である。
【００９５】
その相は、好ましくは４〜１５種類、特には５〜１２種類の、式Ｉ、ＩＩＡおよび／またはＩＩＢ、および任意にＩＩＩの化合物を含む。
【００９６】
式Ｉ、ＩＩＡおよび／またはＩＩＢおよびＩＩＩの化合物に加え、他の構成成分も存在してよく、例えば混合物全体の４５％までの量、しかし好ましくは３５％まで、特には１０％までである。
【００９７】
他の構成成分は、好ましくは、ネマチックまたはネマトゲン性の物質より選択され、特には、アゾキシベンゼン類、ベンジリデンアニリン類、ビフェニル類、ターフェニル類、フェニルまたはシクロヘキシル安息香酸エステル類、フェニルまたはシクロヘキシルシクロヘキサンカルボン酸エステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類の分類からの既知の物質である。
【００９８】
この型の液晶相の構成成分として適する最も重要な化合物は、式ＩＶで特徴付けることができる。
【００９９】
Ｒ９−Ｌ−Ｇ−Ｅ−Ｒ１０            ＩＶ
式中、ＬおよびＥは、それぞれ、１，４−二置換ベンゼンおよびシクロヘキサン環、４，４’−二置換ビフェニル、フェニルシクロヘキサンおよびシクロへキシルシクロヘキサン系、２，５−二置換ピリミジンおよび１，３−ジオキサン環、２，６−二置換ナフタレン、ジ−およびテトラヒドロナフタレン、キナゾリンおよびテトラヒドロキナゾリンより形成される群からの炭素環またはヘテロ環系を表す。
【０１００】
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合を表す。
【０１０１】
Ｑはハロゲン、好ましくは塩素、または−ＣＮを表し、そしてＲ９およびＲ１０は、それぞれ１８個まで、好ましくは８個までの炭素原子を有するアルキル、アルケニル、アルコキシ、アルカノイルオキシまたはアルコキシカルボニルオキシを表し、または代わりに、これらの基の１つは、ＣＮ、ＮＣ、ＮＯ２、ＮＣＳ、ＣＦ３、ＯＣＦ３、Ｆ、ＣｌまたはＢｒを表す。
【０１０２】
これらの化合物の殆どにおいて、Ｒ９およびＲ１０は互いに異なっており、これらの基の１つは、通常、アルキルまたはアルコキシ基である。提案された置換基の他の変法もまた一般的である。そのような物質またはそれらの混合物もまた、商業的に入手できる。全てのこれらの物質は、文献から知られる方法により調製することができる。
【０１０３】
本発明による液晶混合物は、１種類以上の式Ｉの化合物を１種類以上の更なるメソゲン性化合物と混合することで調製する。
【０１０４】
当業者には言うまでもなく、本発明によるＶＡ、ＩＰＳまたはＦＦＳ混合物は、例えばＨ、Ｎ、Ｏ、Ｃｌ、Ｆが対応する同位体で置き換えられた化合物も含むこともできる。
【０１０５】
本発明による液晶ディスプレイの構造は、例えばＥＰ−Ａ  ０  ２４０  ３７９に記載されているような通常の構成に対応する。
【０１０６】
以下の例は、制限することなく、本発明を説明することを意図する。上および下において、パーセンテージは重量パーセントであり、温度はすべて摂氏で示される。
【０１０７】
式Ｉの化合物に加え、本発明による混合物は、好ましくは、以下に示す１種類以上の化合物を含む。
【０１０８】
以下の略称を使用する（ｎ、ｍ＝１〜６；ｚ＝１〜６）。
【０１０９】
【化２２．１】
0005562557.tif 000030
【０１１０】
【化２２．２】
0005562557.tif 000031
【０１１１】
【化２２．３】
0005562557.tif 000032
【０１１２】
【化２２．４】
0005562557.tif 000033
【０１１３】
【化２２．５】
0005562557.tif 000034
【０１１４】
【化２２．６】
0005562557.tif 000035
【０１１５】
【化２２．７】
0005562557.tif 000036
【０１１６】
【化２２．８】
0005562557.tif 000037
本発明によって使用できる液晶は、それ自体従来の方法で調製される。一般に、より少ない量で使用される成分の所望の量を、主要な組成を構成する成分中で、好ましくは昇温して溶解する。例えば、アセトン、クロロホルムまたはメタノールの有機溶媒中で成分溶液を混合し、完全に混合後、例えば蒸留によって溶媒を再び除去することも可能である。
【０１１７】
誘電体は、例えばＵＶ吸収剤、抗酸化剤およびフリーラジカル補足剤のような当業者に既知で文献に記載されている更なる添加剤を含むこともできる。例えば、０〜１５％の多色性色素、安定化剤またはキラルドーパントを加えることができる。
【０１１８】
例えば、０〜１５％の多色性色素、さらに導電性塩、好ましくは４−ヒドロキシ安息香酸エチルジメチルドデシルアンモニウム、テトラフェニルホウ酸テトラブチルアンモニウムまたはクラウンエーテル類の錯塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年刊）参照）を、導電性を改良するために添加することができ、誘電異方性、粘度および／またはネマチック相の配向を改変するために物質を加えることもできる。この型の物質は、例えば、ＤＥ−Ａ  ２２  ０９  １２７、２２  ４０  ８６４、２３  ２１  ６３２、２３  ３８  ２８１、２４  ５０  ０８８、２６  ３７  ４３０および２８  ５３  ７２８に記載されている。
【０１１９】
表Ａに、本発明による混合物に添加できる可能なドーパントを示す。混合物がドーパントを含む場合、０．０１〜４重量％の量、好ましくは０．１〜１．０重量％で使用する。
【０１２０】
【表１．１】
0005562557.tif 000038
【０１２１】
【表１．２】
0005562557.tif 000039
例えば、本発明による混合物に添加できる安定剤を下の表Ｂ中に示す。
【０１２２】
【表２．１】
0005562557.tif 000040
【０１２３】
【表２．２】
0005562557.tif 000041
【０１２４】
【表２．３】
0005562557.tif 000042
【０１２５】
【表２．４】
0005562557.tif 000043
【０１２６】
【表２．５】
0005562557.tif 000044
【実施例】
【０１２７】
以下の例は、制限することなく、本発明を説明することを意図している。上および下において、
Ｖ０は２０℃における容量閾電圧（Ｖ）を表し、
Δｎは２０℃および５８９ｎｍで測定される光学異方性を表し、
Δεは２０℃および１ｋＨｚでの誘電異方性を表し、
ｃｌ．ｐ．は透明点（℃）を表し、
γ１は２０℃で測定される回転粘度（ｍＰａ・ｓ）を表し、
ＬＴＳは試験セル中で決定される低温安定性（ネマチック相）を表す。
【０１２８】
閾電圧の測定用に使用されるディスプレイは２０μｍの間隔で離れている２枚の平面で平行な外板と、その外板の内側上のＳＥ−１２１１（日産化学製）の配向層がオーバーコートされた電極層とを有しており、オーバーコート層は液晶のホメオトロピック配向をもたらしている。
【０１２９】
全ての物理的特性は「メルク液晶、液晶の物理的特性」１９９７年１１月、ドイツ国メルク社に記載されるように決定するまたは決定したもので、他に特に示さない限り２０℃の温度を適用する。
【０１３０】
他に特に示さない限り、本出願において全ての％のデータは重量％である。
【０１３１】
＜混合物例＞
＜例１＞
【０１３２】
【表３】
0005562557.tif 000045
【０１３３】
＜例２＞
【０１３４】
【表４】
0005562557.tif 000046
【０１３５】
＜例３＞
【０１３６】
【表５】
0005562557.tif 000047
【０１３７】
＜例４＞
【０１３８】
【表６】
0005562557.tif 000048
【０１３９】
＜例５＞
【０１４０】
【表７】
0005562557.tif 000049
【０１４１】
＜例６＞
【０１４２】
【表８】
0005562557.tif 000050
【０１４３】
＜例７＞
【０１４４】
【表９】
0005562557.tif 000051